(57)【要約】【課題】エレベータなどの利用者によって呼び釦の触板がタッチされたとき、どのような状況でも、これを検出して、呼び登録などを出力させる。【解決手段】エレベータ利用者の指などで、触板８がタッチされ、静電容量“Ｃ０”が変化とき、呼び信号生成基板１４によってこれを検出させて、呼びを出力させ、また利用者が指などで、触板８または釦操作部７が押し込まれ、固定接点１１と、可動接点１２とが接触したとき、呼び信号生成基板１４によってこれを検出させて、呼びを出力させる。【選択図】      図１
2004299876.tif 000002
【特許請求の範囲】
【請求項１】
エレベータの利用者によって触板がタッチされたとき、これを検出して呼び検出信号を生成する静電式タッチ釦と、
利用者によって前記触板を含む部分が押されたとき、これを検出して呼び検出信号を生成する電気式接点と、
を備えたことを特徴とするエレベータの呼び釦。
【請求項２】
エレベータの利用者によって触板がタッチされたとき、これを検出して呼び検出信号を生成する静電式タッチ釦と、
利用者によって前記触板を含む部分が押されたとき、これを検出して呼び検出信号を生成する圧電センサと、
を備えたことを特徴とするエレベータの呼び釦。
【請求項３】
請求項２に記載のエレベータの呼び釦において、
前記圧電センサは、利用者によって前記触板またはこの触板と対応する部分が一定時間以上、押されたとき、これを検出して呼び検出信号を生成する、
ことを特徴とするエレベータの呼び釦。
【請求項４】
エレベータで使用される呼び釦において、
エレベータの利用者によって触板がタッチされたとき、これを検出して呼び検出信号を生成する静電式タッチ釦と、
この静電式タッチ釦と並んで配置され、利用者によってキートップが押されたとき、これを検出して呼び検出信号を生成する電気接点／圧電式押し釦と、
を備えたことを特徴とするエレベータの呼び釦。
【請求項５】
エレベータで使用される呼び釦において、
エレベータの利用者によって触板がタッチされたとき、これを検出して呼び検出信号を生成する静電式タッチ釦と、
この静電式タッチ釦と同心状に配置され、利用者によってキートップが押されたとき、これを検出して呼び検出信号を生成する電気接点／圧電式押し釦と、
を備えたことを特徴とするエレベータの呼び釦。
【請求項６】
請求項１乃至５のいずれかに記載のエレベータの呼び釦において、
前記静電式タッチ釦は、エレベータの利用者によって前記触板がタッチされたとき、これを検出して、戸閉信号、または戸開信号を生成し、
前記電気式接点、前記圧電センサ、前記電気接点／圧電式押し釦は、利用者によって前記触板またはこの触板と対応する部分、あるいはキートップが押されたとき、これを検出して戸閉信号、または戸開信号を生成する、
ことを特徴とするエレベータの呼び釦。
【発明の詳細な説明】
【０００１】
【発明の属する技術分野】
本発明は、エレベータのかご呼び装置、ホール呼び装置、エレベータのドアを開閉させるドア開閉装置などで使用されるエレベータの呼び釦に関する。
【０００２】
【従来の技術】
エレベータのかご呼び装置、ホール呼び装置などでは、呼び釦として、近年、静電式タッチ釦を使用するようになってきた。
【０００３】
この静電式タッチ釦は、釦表面に取り付けられた金属製の触板をエレベータの利用者が軽く触れることにより、触板と対地間の静電容量の変化を利用して、呼びを検出するもので、釦を押し込まなくても、軽く触れるだけで、動作するという特徴があることから、高級感を出したいときなどに良く使用される。
【０００４】
【特許文献１】
特開平９−２８４１１８号公報
【０００５】
【発明が解決しようとする課題】
しかしながら、このような静電式タッチ釦は、対地静電容量の変化を検出するという検出原理を使用している関係上、人間の指が非常に乾燥しているとき、または厚底靴など、絶縁性が高い靴を履いているとき、あるいは手袋を装着しているとき、利用者が指で静電式タッチ釦に触れても、対地静電容量の変化が小さすぎて、呼びを登録できないことがあった。
【０００６】
この場合、静電式タッチ釦をいくら強く押しても、呼びを登録することができず、エレベータを利用したくても、利用できないという不具合を生じる。
【０００７】
このため、“呼び釦の近傍に手袋を外して操作してください”などの注意を促す銘板を貼ったり、音声アナウンスなどで注意を促すなどしていた。また、より確実性が要求される車椅子専用釦には、静電式タッチ釦を使用せずに、ある程度、押し込まなければ動作しない押し釦を使用したり、戸閉釦、戸開釦など、安全性に関わる釦についてのみ、静電式タッチ釦を使用せずに、ある程度、押し込まなければ動作しない押し釦を使用するなどの対策を講じることも少なくなかった。
【０００８】
本発明は上記の事情に鑑み、エレベータなどの利用者によって静電式タッチ釦がタッチされたとき、どのような状況でも、これを検出して、呼び登録などを出力させることができるエレベータの呼び釦を提供することを目的としている。
【０００９】
【課題を解決するための手段】
上記の目的を達成するために本発明は、請求項１では、エレベータで使用される呼び釦において、エレベータの利用者によって触板がタッチされたとき、これを検出して呼び検出信号を生成する静電式タッチ釦と、利用者によって前記触板を含む部分が押されたとき、これを検出して呼び検出信号を生成する電気式接点とを備えたことを特徴としている。
【００１０】
上記構成によれば、エレベータなどの利用者によって静電式タッチ釦がタッチされたとき、どのような状況でも、これを検出して、呼び登録などを出力させることができる。
【００１１】
また、請求項２では、エレベータで使用される呼び釦において、エレベータの利用者によって触板がタッチされたとき、これを検出して呼び検出信号を生成する静電式タッチ釦と、利用者によって前記触板を含む部分が押されたとき、これを検出して呼び検出信号を生成する圧電センサとを備えたことを特徴としている。
【００１２】
上記構成によれば、機械的な構成を簡素化させて、コストダウンを図りながら、エレベータなどの利用者によって静電式タッチ釦がタッチされたとき、どのような状況でも、これを検出して、呼び登録などを出力させることができる。
【００１３】
また、請求項３では、請求項２に記載の呼び釦において、前記圧電センサは、利用者によって前記触板またはこの触板と対応する部分が一定時間以上、押されたとき、これを検出して呼び検出信号を生成することを特徴としている。
【００１４】
上記構成によれば、機械的な構成を簡素化させて、コストダウンを図るとともに、周囲の振動などに起因する誤動作を防止させながら、エレベータなどの利用者によって静電式タッチ釦がタッチされたとき、どのような状況でも、これを検出して、呼び登録などを出力させることができる。
【００１５】
また、請求項４では、エレベータで使用される呼び釦において、エレベータの利用者によって触板がタッチされたとき、これを検出して呼び検出信号を生成する静電式タッチ釦と、この静電式タッチ釦と並んで配置され、利用者によってキートップが押されたとき、これを検出して呼び検出信号を生成する電気接点／圧電式押し釦とを備えたことを特徴としている。
【００１６】
上記構成によれば、静電式タッチ釦がタッチされても、呼びを登録できないとき、電気接点／圧電式押し釦によってバックアップさせて、呼び登録を行わせることができる。
【００１７】
また、請求項５では、エレベータで使用される呼び釦において、エレベータの利用者によって触板がタッチされたとき、これを検出して呼び検出信号を生成する静電式タッチ釦と、この静電式タッチ釦と同心状に配置され、利用者によってキートップが押されたとき、これを検出して呼び検出信号を生成する電気接点／圧電式押し釦とを備えたことを特徴としている。
【００１８】
上記構成によれば、エレベータなどの利用者によって静電式タッチ釦がタッチされても、呼びを登録できないとき、電気接点／圧電式押し釦によってバックアップさせて、呼び登録を行わせることができる。
【００１９】
また、請求項６では、請求項１乃至５のいずれかに記載の呼び釦において、前記静電式タッチ釦は、エレベータの利用者によって前記触板がタッチされたとき、これを検出して、戸閉信号、または戸開信号を生成し、前記電気式接点、前記圧電センサ、前記電気接点／圧電式押し釦は、利用者によって前記触板またはこの触板と対応する部分、あるいはキートップが押されたとき、これを検出して戸閉信号、または戸開信号を生成することを特徴としている。
【００２０】
上記構成によれば、エレベータなどの利用者によって静電式タッチ釦がタッチされても、戸閉指示、または戸開指示などを出力させることができないとき、電気式接点、圧電センサ、電気接点／圧電式押し釦によってバックアップさせて、戸閉指示、または戸開指示などを出力させることができる。
【００２１】
【発明の実施の形態】
＜実施形態１＞
図１は本発明によるエレベータの呼び釦の実施形態１を示す断面図である。
【００２２】
この図に示す呼び釦１は、呼び装置の表示プレート２に形成された角穴３と対応するように、表示プレート２の裏面に配置される箱状の釦ケース４と、釦ケース４内にスライド可能な状態で配置されるスライダ５と、スライダ５の前面に固定され、周囲に形成されたフランジ６が角穴３の内周部分と係合して、角穴３から飛び出ないように、固定される板状の釦操作部７と、金属板などによって構成され、図２に示すように、釦操作部７の中央部分にはめ込まれる触板８と、スライダ５と釦ケース４との間に介挿され、スライダ５を矢印Ｂ方向に付勢するスプリング９と、釦ケース４の裏面に配置される箱状の基板ケース１０と、基板ケース１０に取り付けられた固定接点１１、スライダ５に取り付けられた可動接点１２などによって構成される押し釦接点１３と、基板ケース１０内に配置され、エレベータの利用者が指などで、触板８に触れて、静電容量“Ｃ０”が変化したとき、またはエレベータの利用者が指などで、触板８または釦操作部７を押し、スライダ５が所定のストローク以上、矢印Ａ方向にスライドして、押し釦接点１３の可動接点１２と固定接点１１とが接触したとき、これを検出して呼び検出信号を生成する呼び信号生成基板１４と、スライダ５内に配置され、呼びが登録されているとき、点灯して、利用者に知らせる表示灯１５とを備えている。
【００２３】
そして、エレベータの利用者が指などで、触板８に触れて、地面に対する静電容量“Ｃ０”が変化し、図３のブロック図に示すように、呼び信号生成基板１４に設けられたアンプ１６によって増幅された静電容量変化が予め設定されている基準静電容量値（電圧レベル）を超えたとき、呼び信号生成基板１４に設けられた比較器１７によってこれが検出されて、呼び検出信号が生成され、機械室などに設けられた制御盤内の呼び登録装置１８に呼びが登録される。
【００２４】
また、利用者が手袋などを装着しているときなどのように、利用者が指などで、触板８をタッチしても、触板８の静電容量変化が小さいときには、比較器１７から呼び検出信号が出力されないことから、呼び登録装置１８に呼びが登録されない。
【００２５】
この場合でも、利用者が触板８または釦操作部７をさらに強く押し込めば、これに応じてスライダ５が矢印Ａ方向にスライドして、固定接点１１と可動接点１２とが接触したとき、押し釦接点１３から呼び検出信号が出力されて、登録装置１８に呼びが登録される。
【００２６】
このように、実施形態１では、エレベータの利用者が指などで、タッチしたとき、静電容量“Ｃ０”が変化する触板８と、利用者が指などで、触板８または釦操作部７を押し込んだとき、これを検知する押し釦接点１３とを設けているので、エレベータなどの利用者によって触板８がタッチされたとき、どのような状況でも、これを検出して、呼び登録などを出力させることができる。
【００２７】
＜実施形態２＞
図４は本発明によるエレベータの呼び釦の実施形態２を示す断面図である。
【００２８】
この図に示す呼び釦２１は、呼び装置の表示プレート２２に形成された角穴２３と対応するように、表示プレート２２の裏面に配置される箱状の釦ケース２４と、釦ケース２４の前面に固定され、周囲に形成されたフランジ２５が角穴２３の内周部分と係合して、角穴２３部分から動かないように、固定される板状の釦操作部２６と、金属板などによって構成され、図５に示すように、釦操作部２６の中央部分にはめ込まれる触板２７と、触板２７の裏面側に配置され、触板２７が押し込まれたとき、圧力値に応じた電圧信号を生成する圧電素子２８と、釦ケース２４の裏面に配置される箱状の基板ケース２９と、基板ケース２９内に配置され、エレベータの利用者が指などで、触板２７に触れて、静電容量“Ｃ０”が変化したとき、またはエレベータの利用者が指などで、触板２７を強く押し込み、圧電素子２８から出力される電圧信号の値が予め設定されている基準電圧値より大きくなったとき、これを検出して呼び検出信号を生成する呼び信号生成基板３０と、釦ケース２４内に配置され、呼びが登録されているとき、点灯して、利用者に知らせる表示灯３１とを備えている。
【００２９】
そして、エレベータの利用者が指などで、触板２７に触れて、地面に対する静電容量“Ｃ０”が変化し、図６のブロック図に示すように、呼び信号生成基板３０に設けられたアンプ３２によって増幅された静電容量変化が予め設定されている基準静電容量値（電圧レベル）を超えたとき、呼び信号生成基板３０に設けられた比較器３３によってこれが検出されて、呼び検出信号が生成され、機械室などに設けられた制御盤内の呼び登録装置３４に呼びが登録される。
【００３０】
また、利用者が手袋などを装着しているときなどのように、利用者が指などで、触板２７をタッチしても、触板２７の静電容量変化が小さいときには、比較器３３から呼び検出信号が出力されないことから、呼び登録装置３４に呼びが登録されない。
【００３１】
この場合でも、利用者が触板２７を強く押し込めば、呼び信号生成基板３０に設けられたアンプ３５によって増幅された、圧電素子２８から出力される電圧信号の電圧値が予め設定されている基準電圧値を超えたとき、呼び信号生成基板３０に設けられた比較器３６によってこれが検出されて、呼び検出信号が生成され、呼び登録装置３４に呼びが登録される。
【００３２】
このように、実施形態２では、エレベータの利用者が指などで、タッチしたとき、静電容量“Ｃ０”が変化する触板２７と、利用者が指などで、触板２７を押し込んだとき、これを検知する圧電素子２８とを設けているので、機械的な構成を簡素化させて、コストダウンを図りながら、エレベータなどの利用者によって触板２７がタッチされたとき、どのような状況でも、これを検出して、呼び登録などを出力させることができる。
【００３３】
また、実施形態２では、触板２７の裏面中央部分に圧電素子２８を配置するようにしているが、利用者が押すことができる位置であれば、触板２７の裏面中央部分以外の場所に圧電素子２８を配置させても良い。
【００３４】
＜実施形態３＞
図７は本発明によるエレベータの呼び釦の実施形態３を示す断面図である。なお、この図においては、図４の各部に対応する部分には、同じ符号が付してある。
【００３５】
この図に示す呼び釦４１が図４に示す呼び釦２１と異なる点は、振動などに起因する誤動作を防止する機能を持たせた呼び信号生成基板４２を設け、呼び装置の表示プレート２２に複数の呼び釦４１が設けられ、これら各呼び釦４１のいずれか１つが押し込まれて、表示プレート２２が振動しても、押し込まれていない呼び釦４１から呼び信号が出力されないようにしたことである。
【００３６】
呼び信号生成基板４２は、図８のブロック図に示すように、触板２７の静電容量変化を増幅するアンプ４３と、アンプ４３から出力される増幅された静電容量変化が予め設定されている基準静電容量値（電圧レベル）を超えているとき、呼び検出信号を生成して、呼び登録装置３３に呼びを登録する比較器４４と、圧電素子２８から出力される電圧信号を増幅するアンプ４５と、アンプ４５から出力される電圧信号が予め設定されている基準電圧を超えているとき、呼び検出信号を生成する比較器４６と、比較器４６から呼び検出信号が出力されてから一定時間、例えば利用者が触板２７を押したときに生じる表示プレート２２の振動が減衰して十分小さな値になるまでに必要な時間以上、継続して呼び検出信号が出力されているとき、呼び検出信号を通過させて、呼び登録装置３３に呼びを登録させるオンディレイタイマ４７とを備えている。
【００３７】
そして、エレベータの利用者が指などで、触板２７に触れて、地面に対する静電容量“Ｃ０”が変化し、アンプ４３によって増幅された静電容量変化が予め設定されている基準静電容量値（電圧レベル）を超えたとき、比較器４４によってこれが検出されて、呼び検出信号が生成され、機械室などに設けられた制御盤内の呼び登録装置３３に呼びが登録される。
【００３８】
また、利用者が手袋などを装着しているときなどのように、利用者が指などで、触板２７をタッチしても、触板２７の対地静電容量変化が小さいときにも、利用者が触板２７を強く押し込み、アンプ４５によって増幅された、圧電素子２８から出力される電圧信号の電圧値が予め設定されている基準電圧値を超えたとき、比較器４６によってこれが検出されて、呼び検出信号が生成され、これが一定時間以上、継続して生成されているとき、オンディレイタイマ４７によってこれが検出されて、呼び登録装置３３に呼びが登録される。
【００３９】
このように、実施形態３では、エレベータの利用者が指などで、タッチしたとき、静電容量“Ｃ０”が変化する触板２７と、利用者が指などで、触板２７を押し込んだとき、これを検知する圧電素子２８とを設け、利用者が触板２７にタッチしたとき、または利用者が触板２７を所定時間以上、押したとき、これを検出して、呼び信号を生成して、呼び登録装置３３に呼びを登録させるようにしているので、機械的な構成を簡素化させて、コストダウンを図るとともに、周囲の振動などに起因する誤動作を防止させながら、エレベータなどの利用者によって触板２７がタッチされたとき、どのような状況でも、これを検出して、呼び登録などを出力させることができる。
【００４０】
また、実施形態３では、圧電素子２８として、セラミック電歪材料、ＰＺＴ（高分子複合材料）などによって構成される素子を使用するようにしているが、感圧性ゴムなど、圧力に応じて、抵抗値が変化する素子、または半導体圧力センサなど、他の圧力検出素子、他の圧力センサなどを使用させるようにしても良い。
【００４１】
＜実施形態４＞
図９は本発明によるエレベータの呼び釦の実施形態４を示す正面図である。
【００４２】
この図に示す呼び釦５１は、呼び装置の表示プレート５２に取り付けられる複数の静電式タッチ釦５３と、これら各静電式タッチ釦５３と対応する位置に取り付けられる複数の電気接点式押し釦５４とを備えており、静電式タッチ釦５３がタッチされても、これが動作しないとき、併設されている電気接点式押し釦５４を押させて、呼び登録装置に呼びを登録させる。
【００４３】
このように、実施形態４では、各静電式タッチ釦５３と各電気接点式押し釦５４とを併設させるようにしているので、エレベータなどの利用者によって静電式タッチ釦５３がタッチされても、呼びを登録できないとき、電気接点式押し釦５３によってバックアップさせて、呼び登録を行わせることができる。
【００４４】
また、実施形態４では、各静電式タッチ釦５３の横に各々、電気接点式押し釦５４を併設させるようにしているが、このような電気接点式押し釦５４に代えて、他の押し釦、例えば圧電式押し釦などを併設させるようにしても良い。
【００４５】
このようにしても、静電式タッチ釦５３がタッチされても、呼びを登録できないとき、圧電式押し釦などによってこれをバックアップさせて、呼び登録を行わせることができる。
【００４６】
＜実施形態５＞
図１０は本発明によるエレベータの呼び釦の実施形態５を示す正面図である。
【００４７】
この図に示す呼び釦６１は、呼び装置の表示プレート６２に取り付けられる複数の静電式タッチ釦６３と、これら各静電式タッチ釦６３を形成している触板６４の中央部分に各々、取り付けられる複数の電気接点式押し釦６５とを備えており、静電式タッチ釦６３の触板６４がタッチされても、これが動作しないとき、触板６４の中央部分に配置された電気接点式押し釦６５を押させて、呼び登録装置に呼びを登録させる。
【００４８】
このように、実施形態５では、各静電式タッチ釦６３の中央部分に各々、電気接点式押し釦６５を併設させるようにしているので、エレベータなどの利用者によって静電式タッチ釦６３がタッチされても、呼びを登録できないとき、電気接点式押し釦６５によってこれをバックアップさせて、呼び登録を行わせることができる。
【００４９】
また、実施形態５では、各静電式タッチ釦６３の中央部分に各々、電気接点式押し釦６５を併設させるようにしているが、このような電気接点式押し釦６５に代えて、他の押し釦、例えば圧電式押し釦などを併設させるようにしても良い。
【００５０】
このようにしても、エレベータなどの利用者によって静電式タッチ釦６３がタッチされても、呼びを登録できないとき、圧電式押し釦などによってこれをバックアップさせて、呼び登録を行わせることができる。
【００５１】
＜第６の実施形態＞
また、上述した各の実施形態では、エレベータの呼び装置に設けられる呼び釦１、２１、４１、５１、６１を例にして、本発明による呼び釦を説明しているが、これら各呼び釦１、２１、４１、５１、６１を戸閉釦、戸開釦などとして、使用させるようにしても良い。
【００５２】
これにより、エレベータなどの利用者によって触板８、２７、静電式タッチ釦５３、６３などがタッチされても、戸閉指示、または戸開指示などを出力させることができないとき、押し釦接点１３、圧電センサ２８、電気接点式押し釦５４、６５によってこれをバックアップさせて、戸閉指示、または戸開指示などを出力させることができる。
【００５３】
【発明の効果】
以上説明したように本発明によれば、エレベータなどの利用者によって静電式タッチ釦がタッチされたとき、どのような状況でも、これを検出して、呼び登録などを出力させることができる。
【００５４】
また、エレベータなどの利用者によって静電式タッチ釦がタッチされても、呼びを登録できないとき、電気接点／圧電式押し釦によってこれをバックアップさせて、呼び登録を行わせることができる。
【００５５】
さらに、エレベータなどの利用者によって静電式タッチ釦がタッチされても、呼びの登録や戸閉指示または戸開指示などを出力させることができないとき、電気接点／圧電式押し釦によってこれをバックアップさせて、呼び登録や戸閉指示または戸開指示などを出力させることができる。
【図面の簡単な説明】
【図１】本発明によるエレベータの呼び釦の実施形態１を示す断面図である。
【図２】図１に示す呼び釦の正面図である。
【図３】図１に示す呼び釦の回路図である。
【図４】本発明によるエレベータの呼び釦の実施形態２を示す断面図である。
【図５】図４に示す呼び釦の正面図である。
【図６】図４に示す呼び釦の回路図である。
【図７】本発明によるエレベータの呼び釦の実施形態３を示す断面図である。
【図８】図７に示す呼び釦の回路図である。
【図９】本発明によるエレベータの呼び釦の実施形態４を示す正面図である。
【図１０】本発明によるエレベータの呼び釦の実施形態５を示す正面図である。
【符号の説明】
１、２１、４１、５１、６１：呼び釦
２、２２、５２、６２：表示プレート
３、２３：角穴
４、２４：釦ケース
５：スライダ
６、２５：フランジ
７、２６、２７：釦操作部
８、６４：触板（静電式タッチ釦）
９：スプリング
１０：基板ケース
１１：固定接点
１２：可動接点
１３：押し釦接点（電気式接点）
１４、３０、４２：呼び信号生成基板
１５、３１：表示灯
１６、３２、３５、４３、４５：アンプ
１７、３３、３６、４４、４６：比較器
１８、３４：呼び登録装置
２８：圧電素子（圧電センサ）
２９：基板ケース
４７：オンディレイタイマ
５３、６３：静電式タッチ釦
５４、６５：電気接点式押し釦（電気接点／圧電式押し釦）
【図１】
2004299876.tif 000003
【図２】
2004299876.tif 000004
【図３】
2004299876.tif 000005
【図４】
2004299876.tif 000006
【図５】
2004299876.tif 000007
【図６】
2004299876.tif 000008
【図７】
2004299876.tif 000009
【図８】
2004299876.tif 000010
【図９】
2004299876.tif 000011
【図１０】
2004299876.tif 000012